【手続補正書】
【提出日】平成17年11月4日(2005.11.4)
【手続補正１】
【補正対象書類名】明細書
【補正対象項目名】発明の名称
【補正方法】変更
【補正の内容】
【発明の名称】加熱装置および画像形成装置
【手続補正２】
【補正対象書類名】明細書
【補正対象項目名】特許請求の範囲
【補正方法】変更
【補正の内容】
【特許請求の範囲】
【請求項１】  回転体と、該回転体の表面と圧接部を形成する加圧部材と、発熱体を内包し前記回転体の内面と接触する加熱基板とを有し、前記圧接部に被加熱材を挟持搬送させて加熱する加熱装置において、
前記加熱基板として、前記被加熱材の搬送方向と平行且つ搬送平面に垂直な平面から見た断面形状が所望の加熱領域に応じて少なくとも加熱面に曲面を有する形状からなり、前記発熱体が該加熱基板の反加熱面側表面に形成されるとともに、該加熱基板の材料として窒化アルミニウムを用いた曲面セラミック基板を用いることを特徴とする加熱装置。
【請求項２】 前記曲面セラミック基板は、加熱面側に曲面、反加熱面側に平坦面を有するＤカット面型の断面形状を有し、基板の生成方法として焼成前のセラミック母材をＤカット面型の穴を有する金型を用いて押し出し形成され、焼成後のセラミック基板の前記平坦面に厚膜印刷法により発熱体パターンを印刷形成したものであることを特徴とする請求項１に記載の加熱装置。
【請求項３】 前記加熱基板として前記被加熱材の搬送方向と直角方向の基盤全体の断面形状が所望の加熱領域に応じて円弧状となるように成形された曲面セラミック基板を用いることを特徴とする請求項１に記載の加熱装置。
【請求項４】 前記曲面セラミック基板の曲面状の基板外周面の円弧長を前記回転体と前記加圧部材との圧接部に形成されるニップ幅よりも長くするとともに、該ニップ部全体が前記回転体を介して対向する前記基板外周面内に含まれるような位置関係となり、且つ前記ニップ部の前記回転体の回転方向の上流側に形成される前記曲面セラミック基板の曲面状の基板外周面と前記回転体の内周面の接触領域が前記ニップ部の前記回転体の回転方向の下流側に形成される前記曲面セラミック基板の曲面状の基板外周面と前記回転体の内周面の接触領域より大きくなるように前記曲面セラミック基板を配置することを特徴とする請求項１から３のいずれか１項に記載の加熱装置。
【請求項５】 前記曲面セラミック基板は前記発熱体を前記ニップ部との対向領域と、前記ニップ部の前記回転体の回転方向の上流側に形成される前記回転体の内周面との接触領域の両方に有することを特徴とする請求項４に記載の加熱装置。
【請求項６】 前記曲面セラミック基板の反加熱面側のニップ対向領域内に基板温度検知手段を設けることを特徴とする請求項５に記載の加熱装置。
【請求項７】 前記曲面セラミック基板は焼成前の平板状に押し出し成形された平板セラミック母材上に発熱体を形成した後、平板に円弧状断面を付与させるための型枠を用いて前記平板セラミック母材を円弧状に整形しながら焼成することによりに曲面形状を形成するものであることを特徴とする請求項３に記載の加熱装置。
【請求項８】 前記回転体は表面に離型性層を有する円筒状の耐熱性樹脂フィルムであることを特徴とする請求項１から７のいずれか１項に記載の加熱装置。
【請求項９】 前記回転体は表面に離型性層を有する厚さ３００μｍ以下の円筒状の金属フィルムまたは薄肉金属ローラであることを特徴とする請求項１から８のいずれか１項に記載の加熱装置。
【請求項１０】 前記回転体は前記離型性層の下層に耐熱性弾性層を有することを特徴とする請求項８または９に記載の加熱装置。
【請求項１１】 前記加圧部材は中空の金属ローラの表面に耐熱性弾性層、離型性層をこの順に積層させた断面構造からなり、該加圧部材の中空の金属ローラの内面の前記ニップ部との対向位置に、前記曲面セラミック基板と類似構成の加圧ローラ用曲面セラミックヒータを加圧当接して設けたことを特徴とする請求項１から１０のいずれか１項に記載の加熱装置。
【請求項１２】 前記曲面セラミック基板の曲面の前記回転体の回転方向の上流側端部の直上流部に該基板端部の角部と前記回転体内面の接触を防止する突起部を設けたことを特徴とする請求項１から１１のいずれか１項に記載の加熱装置。
【請求項１３】 前記曲面セラミック基板の円弧状断面にける両基板端部周辺または少なくとも前記回転体の回転方向の上流側端部周辺の曲率を前記円弧状断面にける基板中央部の曲率よりも局所的に大きくし、前記両基板端部に折り曲げ部を形成したことを特徴とする請求項３から１２のいずれか１項に記載の加熱装置。
【請求項１４】 前記曲面セラミック基板の定着ニップ形成部の曲率を他の基板部の曲率よりも局所的に小さくしたことを特徴とする請求項１から１３のいずれか１項に記載の加熱装置。
【請求項１５】 前記曲面セラミック基板と回転体内周面の間に固体潤滑層を設けたことを特徴とする請求項１から１４のいずれか１項に記載の加熱装置。
【請求項１６】 前記固体潤滑層はダイヤモンドライクカーボンコーティング層で構成されていることを特徴とする請求項１５に記載の加熱装置。
【請求項１７】 被加熱材上に熱軟化性有色粉体像を形成し、該粉体像の担持された被加熱材を、請求項１乃至１６のいずれか１項に記載の加熱装置に通過させることにより、前記粉体像を前記被加熱材上に永久画像として定着させて画像を形成することを特徴とする画像形成装置。
【手続補正３】
【補正対象書類名】明細書
【補正対象項目名】０００１
【補正方法】変更
【補正の内容】
【０００１】
【発明の属する技術分野】
本発明は、例えば、電子写真方式等のプリンター・複写機・ファクシミリなどの画像形成装置において記録材上に形成担持させた未定着トナー画像を定着させる画像加熱定着器として用いて好適な加熱装置に関する。また、画像形成装置に関する。
【手続補正４】
【補正対象書類名】明細書
【補正対象項目名】００８６
【補正方法】削除
【補正の内容】
【手続補正５】
【補正対象書類名】明細書
【補正対象項目名】００８７
【補正方法】削除
【補正の内容】
【手続補正６】
【補正対象書類名】明細書
【補正対象項目名】００８８
【補正方法】削除
【補正の内容】
【手続補正７】
【補正対象書類名】明細書
【補正対象項目名】００８９
【補正方法】削除
【補正の内容】
【手続補正８】
【補正対象書類名】明細書
【補正対象項目名】００９０
【補正方法】削除
【補正の内容】
【手続補正９】
【補正対象書類名】明細書
【補正対象項目名】００９１
【補正方法】削除
【補正の内容】
【手続補正１０】
【補正対象書類名】明細書
【補正対象項目名】００９２
【補正方法】削除
【補正の内容】
【手続補正１１】
【補正対象書類名】明細書
【補正対象項目名】００９３
【補正方法】削除
【補正の内容】
【手続補正１２】
【補正対象書類名】明細書
【補正対象項目名】００９４
【補正方法】削除
【補正の内容】
【手続補正１３】
【補正対象書類名】明細書
【補正対象項目名】００９５
【補正方法】削除
【補正の内容】
【手続補正１４】
【補正対象書類名】明細書
【補正対象項目名】００９６
【補正方法】削除
【補正の内容】
【手続補正１５】
【補正対象書類名】明細書
【補正対象項目名】００９７
【補正方法】削除
【補正の内容】
【手続補正１６】
【補正対象書類名】明細書
【補正対象項目名】００９８
【補正方法】削除
【補正の内容】
【手続補正１７】
【補正対象書類名】明細書
【補正対象項目名】００９９
【補正方法】削除
【補正の内容】
【手続補正１８】
【補正対象書類名】明細書
【補正対象項目名】０１００
【補正方法】削除
【補正の内容】
【手続補正１９】
【補正対象書類名】明細書
【補正対象項目名】０１０１
【補正方法】削除
【補正の内容】
【手続補正２０】
【補正対象書類名】明細書
【補正対象項目名】０１０２
【補正方法】削除
【補正の内容】
【手続補正２１】
【補正対象書類名】明細書
【補正対象項目名】０１０３
【補正方法】削除
【補正の内容】